(57)【要約】【課題】光ディスクの媒体特性に起因するトラブルを解消することが可能な光ディスク処理方法を提供すること。【解決手段】この発明の光ディスク処理方法は、光ディスクに対して光ビームを照射し（ＳＴ１２）、前記光ディスクからの反射光量を検出し（ＳＴ１３）、前記検出された反射光量に基づき前記光ディスクの反り量を検出する（ＳＴ１４）。【選択図】    図７
2005038464.tif 000002
【特許請求の範囲】
【請求項１】
光ディスクを回転駆動させる回転駆動手段と、
前記回転駆動手段により回転駆動される前記光ディスクに対して光ビームを照射する照射手段と、
前記光ディスクからの反射光量を検出する反射光量検出手段と、
前記反射光量検出手段により検出された反射光量に基づき前記光ディスクの反り量を検出する反り量検出手段と、
を備えたことを特徴とする光ディスク装置。
【請求項２】
前記反射光量検出手段により検出された反り量に基づき前記光ディスクの回転速度を制御する回転速度制御手段と、
前記回転速度制御手段により回転速度が制御される前記光ディスクに対して前記照射手段により照射される光ビームにより情報を記録する記録手段と、
を備えたことを特徴とする請求項１に記載の光ディスク装置。
【請求項３】
前記反射光量検出手段により検出された反り量が規定量未満の場合には前記光ディスクの回転速度を第１の回転速度に制御し、前記反射光量検出手段により検出された反り量が規定量以上の場合には前記光ディスクの回転速度を前記第１の回転速度より遅い第２の回転速度に制御する回転速度制御手段と、
前記回転速度制御手段により回転速度が制御される前記光ディスクに対して前記照射手段により照射される光ビームにより情報を記録する記録手段と、
を備えたことを特徴とする請求項１に記載の光ディスク装置。
【請求項４】
前記反射光量検出手段により検出された反り量に基づき前記光ディスクに対して照射する光ビームの記録パワーを制御する記録パワー制御手段と、
前記記録パワー制御手段により記録パワーが制御された光ビームにより前記光ディスクに対して情報を記録する記録手段と、
を備えたことを特徴とする請求項１に記載の光ディスク装置。
【請求項５】
前記反射光量検出手段により検出された反り量が規定量未満の場合には前記光ディスクに対して照射する光ビームの記録パワーを第１の記録パワーに制御し、前記反射光量検出手段により検出された反り量が規定量以上の場合には前記光ディスクに対して照射する光ビームの記録パワーを前記第１の記録パワーより高い第２の記録パワーに制御する記録パワー制御手段と、
前記記録パワー制御手段により記録パワーが制御された光ビームにより前記光ディスクに対して情報を記録する記録手段と、
を備えたことを特徴とする請求項１に記載の光ディスク装置。
【請求項６】
光ディスクに対して光ビームを照射し、
前記光ディスクからの反射光量を検出し、
前記検出された反射光量に基づき前記光ディスクの反り量を検出する、
ことを特徴とする光ディスク処理方法。
【請求項７】
前記検出された反り量に基づき前記光ディスクの回転速度を制御し、
回転速度が制御された前記光ディスクに対して光ビームにより情報を記録する、
ことを特徴とする請求項６に記載の光ディスク処理方法。
【請求項８】
前記検出された反り量が規定量未満の場合には前記光ディスクの回転速度を第１の回転速度に制御し、前記検出された反り量が規定量以上の場合には前記光ディスクの回転速度を前記第１の回転速度より遅い第２の回転速度に制御し、
回転速度が制御された前記光ディスクに対して光ビームにより情報を記録する、
ことを特徴とする請求項６に記載の光ディスク処理方法。
【請求項９】
前記検出された反り量に基づき前記光ディスクに対して照射する光ビームの記録パワーを制御し、
記録パワーが制御された光ビームにより情報を記録する、
ことを特徴とする請求項６に記載の光ディスク処理方法。
【請求項１０】
前記検出された反り量が規定量未満の場合には前記光ディスクに対して照射する光ビームの記録パワーを第１の記録パワーに制御し、前記検出された反り量が規定量以上の場合には前記光ディスクに対して照射する光ビームの記録パワーを前記第１の記録パワーより高い第２の記録パワーに制御し、
記録パワーが制御された光ビームにより情報を記録する、
ことを特徴とする請求項６に記載の光ディスク処理方法。
【発明の詳細な説明】
【０００１】
【発明の属する技術分野】
この発明は、光ディスクに対して光ビームを照射し、光ディスクに対して情報を記録したり光ディスクから再生したりする光ディスク装置に関する。
【０００２】
【従来の技術】
近年、光ディスクなどのデジタル情報記憶媒体の高密度化に伴い、光ディスクドライブによる記録再生精度の向上に関する研究開発が盛んに進められている。例えば、データの再生中にエラー訂正不能になり、再度エラー訂正する場合はディスクの回転速度を１倍速に切り換えてリトライする技術が開示されている（特許文献１参照）
【０００３】
【特許文献１】
特開平７−９８９４３
【０００４】
【発明が解決しようとする課題】
上記したエラー訂正不能な事態の発生とは関係なく、光ディスクには反りという媒体特性があることが知られている。この光ディスクの反り（媒体特性）に起因する、記録エラーの問題がある。
【０００５】
この発明の目的は、上記したような事情に鑑み成されたものであって、光ディスクの媒体特性に起因するトラブルを解消することが可能な光ディスク装置及び光ディスク処理方法を提供することにある。
【０００６】
【課題を解決するための手段】
上記課題を解決し目的を達成するために、この発明の光ディスク装置及び光ディスク処理方法は、以下のように構成されている。
【０００７】
（１）この発明の光ディスク装置は、光ディスクを回転駆動させる回転駆動手段と、前記回転駆動手段により回転駆動される前記光ディスクに対して光ビームを照射する照射手段と、前記光ディスクからの反射光量を検出する反射光量検出手段と、前記反射光量検出手段により検出された反射光量に基づき前記光ディスクの反り量を検出する反り量検出手段とを備えている。
【０００８】
（２）この発明の光ディスク処理方法は、光ディスクに対して光ビームを照射し、前記光ディスクからの反射光量を検出し、前記検出された反射光量に基づき前記光ディスクの反り量を検出する。
【０００９】
【発明の実施の形態】
以下、この発明の実施の形態について図面を参照して説明する。
【００１０】
図１は、この発明の一例に係る光ディスク装置の概略構成を示す図である。この光ディスク装置は、ＤＶＤやＣＤなどの光ディスクＤに対して目的のデータを記録したり、この光ディスクＤに記録されたデータを再生したりする。
【００１１】
図１に示すように、光ディスク装置は、光ピックアップヘッド（ＰＵＨ）１、変調回路２、レーザ制御回路３、スピンドルモータ４、モータ駆動制御回路５、信号処理回路１１、復調回路１２、フォーカスエラー信号生成回路１３、トラッキングエラー信号生成回路１４、光量検出回路１５ａ、反り量検出回路１５ｂ、フォーカス制御回路１６、トラッキング制御回路１７を備えている。
【００１２】
図２は、図１に示す光ピックアップヘッド１の概略構成を示す上面図である。図３は、図１に示す光ピックアップヘッド１の側面図である。図２の上面図及び図３の側面図、共に、光ピックアップヘッド１の構成を見やすくするために一部構成を省略している。
【００１３】
図２及び図３に示すように、光ピックアップヘッドは、ＤＶＤレーザ１０１、ＣＤレーザ１０２、ダイクイックミラー１０３、偏向ビームスプリッタ（ＰＢＳ）１０４、ミラー１０５、コリメートレンズ１０６、対物レンズ１０７、検出レンズ１０９、光学検出素子１１０を備えている。
【００１４】
まず、光ディスクの一例としてのＤＶＤを処理するケースについて説明する。ＤＶＤレーザ１０１は、第１波長（例えば６５０ｎｍ近辺）の第１光ビームを出射する。ＤＶＤレーザ１０１から出射された第１光ビームは、ダイクイックミラー１０３を反射し、偏向ビームスプリッタ１０４を透過する。偏向ビームスプリッタ１０４を透過した第１光ビームは、ミラー１０５で立ち上げられる。ミラー１０５で立ち上げられた第１光ビームは、コリメートレンズ１０６により平行光になり、対物レンズ１０７により光ディスク（ＤＶＤ）の記録面に集光される。以上の光ビームの集光（所定の記録用パワーの第１光ビームの集光）により、光ディスク（ＤＶＤ）に対して情報を記録することができる。
【００１５】
さらに、再生時に光ディスクからの反射光は、つまり第１光ビームに対応して光ディスクから得られる第１反射光は、コリメートレンズ１０６及びミラー１０５を経て、偏向ビームスプリッタ１０４により偏向される。偏向ビームスプリッタ１０４により偏向された第１反射光は、検出レンズ１０９を経て、光学検出素子１１０により検出される。光学検出素子１１０により検出された第１反射光（所定の再生用パワーの第１光ビームの反射光）に基づき、光ディスク（ＤＶＤ）に記録されていた情報が再生され、またトラッキングが制御され、フォーカスが制御される。トラッキング制御及びフォーカス制御についても、後に詳しく説明する。
【００１６】
続いて、光ディスクの一例としてのＣＤを処理するケースについて説明する。ＣＤレーザ１０２は、第１波長より長い第２波長（例えば７８０ｎｍ近辺）の第２光ビームを出射する。ＣＤレーザ１０２から出射された第２光ビームは、ダイクイックミラー１０３を反射し、偏向ビームスプリッタ１０４を透過する。偏向ビームスプリッタ１０４を透過した第２光ビームは、ミラー１０５で立ち上げられる。ミラー１０５で立ち上げられた第２光ビームは、コリメートレンズ１０６により平行光になり、対物レンズ１０７により光ディスク（ＣＤ）の記録面に集光される。以上の光ビームの集光（所定の記録用パワーの第２光ビームの集光）により、光ディスク（ＣＤ）に対して情報を記録することができる。
【００１７】
さらに、再生時に光ディスクからの反射光は、つまり第２光ビームに対応して光ディスクから得られる第２反射光は、コリメートレンズ１０６及びミラー１０５を経て、偏向ビームスプリッタ１０４により偏向される。偏向ビームスプリッタ１０４により偏向された第２反射光は、検出レンズ１０９を経て、光学検出素子１１０により検出される。光学検出素子１１０により検出された第２反射光（所定の再生用パワーの第２光ビームの反射光）に基づき、光ディスク（ＣＤ）に記録されていた情報が再生され、またトラッキングが制御され、フォーカスが制御される。トラッキング制御及びフォーカス制御についても、後に詳しく説明する。
【００１８】
ここで、上記した構成の光ディスク装置による光ディスクＤに対するデータの記録について説明する。記録信号は、変調回路２により所定のチャネルビット系列の信号に変調される。記録信号に対応したチャネルビット系列は、レーザ制御回路３によりレーザ駆動波形に変換される。レーザ制御回路３は、ＤＶＤレーザ１０１又はＣＤレーザ１０２をパルス駆動し、ＤＶＤレーザ１０１又はレＣＤレーザ１０２から記録用パワーの光ビームを出射させる。その結果、記録用パワーの光ビームは、光ディスクＤの情報記録面に集光され、目的のデータが光ディスクＤ上に記録される。このとき、光ディスクＤ上に集光された記録用の光ビームは、フォーカス制御回路４によるフォーカス制御及びトラッキング制御回路５によるトラッキング制御により、記録面上に最良の微小スポットが得られる状態で維持される。
【００１９】
続いて、この光ディスク装置による光ディスクＤに記録されたデータの再生について説明する。データ再生指示に基づき、レーザ制御回路３はＤＶＤレーザ１０１又はレＣＤレーザ１０２を駆動し、ＤＶＤレーザ１０１又はレＣＤレーザ１０２から再生用パワーの光ビームを出射させる。その結果、再生用パワーの光ビームは、光ディスクＤの情報記録面に集光される。光ディスクＤ上に集光された再生用パワーの光ビームは、フォーカス制御回路４によるフォーカス制御及びトラッキング制御回路５によるトラッキング制御により、記録面上に最良の微小スポットが得られる状態で維持される。このとき、光ディスクＤ上に照射された再生用パワーの光ビームは、情報記録面内の反射膜あるいは反射性記録膜により反射される。反射光は、光学検出素子１１０により検出される。光学検出素子１１０は、例えば、４つの光検出領域を備えている。光学検出素子１１０に入射した光束は光電変換されて電気信号となり増幅される。増幅された信号は信号処理回路１１にて等化され２値化され、復調回路１２に送られる。復調回路１２では所定の変調方式に対応した復調動作を施されて、再生データが出力される。
【００２０】
また、光学検出素子１１０から出力される電気信号の一部に基づき、フォーカスエラー信号生成回路１３によりフォーカスエラー信号が生成される。同様に、光学検出素子１１０から出力される電気信号の一部に基づき、トラッキングエラー信号生成回路１４によりトラッキングエラー信号が生成される。フォーカス制御回路１６は、フォーカスエラー信号に基づきビームスポットのフォーカスを制御する。トラッキング制御回路１７は、トラッキングエラー信号に基づきビームスポットのトラッキングを制御する。
【００２１】
さらに、光学検出素子１１０から出力される電気信号に基づき、光量検出回路１５ａにより反射光量が検出される。さらに、この光量検出回路１５ａによる反射光量の検出結果に基づき、反り量検出回路１５ｂにより光ディスクの反り量が検出される。
【００２２】
図５は、比較的反り量が小さい光ディスクの中心からの距離（アドレス）と反射率の関係を示す図である。これに対して、図６は、比較的反り量が大きい光ディスクの中心からの距離（アドレス）と反射率の関係を示す図である。図５に示すように、比較的反り量が小さい光ディスクからの反射率は、比較的一定である。これに対して、図６に示すように、比較的反り量が大きい光ディスクからの反射率は、部分的に大幅に変動する。つまり、反りが大きくなると反射率が下がり、結果的に反射光量が低下する。この原理を利用して、反り量検出回路１５ｂは、光量検出回路１５ａによる反射光量の検出結果に基づき、反り量を検出する。
【００２３】
続いて、図７に示すフローチャートを参照して、光ディスクの反り量の検出結果を利用した回転速度制御による記録処理について説明する。
【００２４】
まず、モータ駆動制御回路５によりスピンドルモータ４の駆動が制御され、光ディスクが所定速度で回転される（ＳＴ１１）。このとき、レーザ制御回路３の制御によりＤＶＤレーザ１０１又はＣＤレーザ１０２から所定パワーの光ビームが照射される（ＳＴ１２）。これに対応して、反射光量検出回路１５ａが反射光量を検出し（ＳＴ１３）、反り量検出回路１５ｂが反り量を検出する（ＳＴ１４）。
【００２５】
このとき、反り量検出回路１５ｂにより検出された反り量が、規定値未満の場合には（ＳＴ１５、ＹＥＳ）、モータ駆動制御回路５はスピンドルモータ４の駆動を制御し、光ディスクの回転速度を第１の回転速度（例えば２４倍速）に制御する（ＳＴ１６）。反り量検出回路１５ｂにより検出された反り量が、規定値以上の場合には（ＳＴ１５、ＮＯ）、モータ駆動制御回路５はスピンドルモータ４の駆動を制御し、光ディスクの回転速度を第１の回転速度より遅い第２の回転速度（例えば１倍速）に制御する（ＳＴ１７）。モータ駆動制御回路により回転速度が制御される光ディスクに対して、ＤＶＤレーザ１０１又はＣＤレーザ１０２により照射される所定の記録パワーの光ビームにより光ディスクに対して情報が記録される（ＳＴ１８）。
【００２６】
上記説明した光ディスクの反り量の検出結果を利用した回転速度制御による記録処理により、図４に示すような効果が得られえる。例えば、外周部に比較的大きな反りを持った光ディスクに対して、内周部から外周部へ向けて順に記録を行なうとする。ディスクの内周部には比較的反りはない。つまり、ディスクの内周部の記録面と光ピックアップヘッド１との距離はほぼ一定であり、反射光量もほぼ一定となる。記録位置が内周部から外周部へと移るに従い、反りの影響を受けて反射光量が減少する。つまり、反りのある外周部の記録面と光ピックアップヘッド１との距離は広がる傾向にあり、その結果、光ピックアップヘッド１から光ディスクに伝わるレーザパワーは低下することになる。さらに記録位置が外周部へと移るに従い、反り量が大きくなることが予想され、結果的に記録エラーが発生する可能性が高くなる。そこで、反射光量が規定値以下になったら、記録速度、即ち回転速度を遅くして記録エラーを防止する。記録速度を遅くすれば、ディスクの反りの影響は小さくなり、減少していた反射光量も通常レベルに回復する。
【００２７】
続いて、図８に示すフローチャートを参照して、光ディスクの反り量の検出結果を利用した記録パワー制御による記録処理について説明する。
【００２８】
まず、モータ駆動制御回路５によりスピンドルモータ４の駆動が制御され、光ディスクが所定速度で回転される（ＳＴ２１）。このとき、レーザ制御回路３の制御によりＤＶＤレーザ１０１又はＣＤレーザ１０２から所定パワーの光ビームが照射される（ＳＴ２２）。これに対応して、反射光量検出回路１５ａが反射光量を検出し（ＳＴ２３）、反り量検出回路１５ｂが反り量を検出する（ＳＴ２４）。
【００２９】
このとき、反り量検出回路１５ｂにより検出された反り量が、規定値未満の場合には（ＳＴ２５、ＹＥＳ）、レーザ制御回路３はＤＶＤレーザ１０１又はＣＤレーザ１０２の記録パワーを第１の記録パワーに制御する（ＳＴ２６）。反り量検出回路１５ｂにより検出された反り量が、規定値以上の場合には（ＳＴ２５、ＮＯ）、レーザ制御回路３はＤＶＤレーザ１０１又はＣＤレーザ１０２の記録パワーを第１の記録パワーより高い第２の記録パワーに制御する（ＳＴ２７）。レーザ制御回路３により記録パワーが制御された光ビームにより光ディスクに対して情報が記録される（ＳＴ２８）。
【００３０】
以上説明したように、この発明によれば、ディスクの反りに起因する記録エラーを防止することができる。ここで、ディスクの反りと記録エラーについてより具体的に説明する。９．５ｍｍ厚のスリムドライブにおいて、２４倍速でディスクを再生すると、風圧の影響を受けてディスクが反ることが確認されている。特に、反りは内周部よりも外周部で大きくなる。このため、ディスクの外周部の再生精度は、内周部の再生精度に比べて悪化するが、外周部で再生がストップしたり、外周部でサーボが外れたりすることは少ない。しかしながら、記録の場合には反りによりライトエラーが発生することが有り得る。特に、粗悪品のメディアに対して２４倍速で記録すると、たとえ記録ができたとしても外周部の記録品位が大きく低下していることがある。そこで、この発明では、上記したように、反射光量をモニタし、反射光量が急激に変化したら（反射光量を規定値以下になったら）、現在の回転数よりも回転数を下げる、或いは現在の記録パワーより記録パワーを上げることにより、反りの影響を低減し、安定した記録を行なうことができる。
【００３１】
なお、上記では、反り量の検出結果に基づき回転速度を制御した記録処理、及び反り量の検出結果に基づき記録パワーを制御した記録処理だけについて説明した。この発明は、記録処理だけに限定されるものではない。例えば再生処理に適用することも可能である。
【００３２】
つまり、反り量検出回路１５ｂにより検出された反り量が、規定値未満の場合には、モータ駆動制御回路５はスピンドルモータ４の駆動を制御し、光ディスクの回転速度を第１の回転速度（例えば２４倍速）に制御する。反り量検出回路１５ｂにより検出された反り量が、規定値以上の場合には、モータ駆動制御回路５はスピンドルモータ４の駆動を制御し、光ディスクの回転速度を第１の回転速度より遅い第２の回転速度（例えば１倍速）に制御する。そして、モータ駆動制御回路により回転速度が制御される光ディスクに対して、ＤＶＤレーザ１０１又はＣＤレーザ１０２により照射される所定の再生パワーの光ビームにより光ディスクに記録された情報を再生する。または、反り量検出回路１５ｂにより検出された反り量が、規定値未満の場合には、レーザ制御回路３はＤＶＤレーザ１０１又はＣＤレーザ１０２の記録パワーを第１の記録パワーに制御する。反り量検出回路１５ｂにより検出された反り量が、規定値以上の場合には、レーザ制御回路３はＤＶＤレーザ１０１又はＣＤレーザ１０２の記録パワーを第１の記録パワーより高い第２の記録パワーに制御する。レーザ制御回路３により記録パワーが制御された光ビームにより光ディスクに記録された情報を再生する。
【００３３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００３４】
【発明の効果】
この発明によれば、光ディスクの媒体特性に起因するトラブルを解消することが可能な光ディスク装置及び光ディスク処理方法を提供できる。
【図面の簡単な説明】
【図１】この発明の一例に係る光ディスク装置の概略構成を示す図である。
【図２】図１に示す光ピックアップヘッドの概略構成を示す上面図である。
【図３】図１に示す光ピックアップヘッドの側面図である。
【図４】光ディスクの反り量の検出結果を利用した回転速度制御による記録処理の効果を示す図である。
【図５】比較的反り量が小さい光ディスクの中心からの距離（アドレス）と反射率の関係を示す図である。
【図６】比較的反り量が大きい光ディスクの中心からの距離（アドレス）と反射率の関係を示す図である。
【図７】光ディスクの反り量の検出結果を利用した回転速度制御による記録処理について説明する。
【図８】光ディスクの反り量の検出結果を利用した記録パワー制御による記録処理について説明する。
【符号の説明】
Ｄ…光ディスク、２…変調回路、３…レーザ制御回路、４…スピンドルモータ、５…モータ駆動制御回路、１１…信号処理回路、１２…復調回路、１３…フォーカスエラー信号生成回路、１４…トラッキングエラー信号生成回路、１５ａ…光量検出回路、１５ｂ…反り量検出回路、１６…フォーカス制御回路、１７…トラッキング制御回路、１００…光ピックアップヘッド
【図１】
2005038464.tif 000003
【図２】
2005038464.tif 000004
【図３】
2005038464.tif 000005
【図４】
2005038464.tif 000006
【図５】
2005038464.tif 000007
【図６】
2005038464.tif 000008
【図７】
2005038464.tif 000009
【図８】
2005038464.tif 000010